(57)【要約】【課題】一定の精度での水平出しを容易に行える撮像装置を提供する。【解決手段】被写体像を撮像する鏡胴ユニット３及びＣＣＤ４５と、自装置の姿勢を検出する姿勢検出部と、姿勢検出部による検出結果を表示するための姿勢検出ＬＥＤ９０と、姿勢検出部の検出結果に応じて、姿勢検出ＬＥＤ９０の点灯状態を変化させるＣＰＵブロック５４とを有する。【選択図】図１
2007212527.tif 000002
【特許請求の範囲】
【請求項１】
被写体像を撮像する撮像手段と、
自装置の姿勢を検出する姿勢検出手段と、
前記姿勢検出手段による検出結果を表示するための姿勢検出結果表示用ＬＥＤと、
前記姿勢検出手段の検出結果に応じて、前記姿勢検出結果表示用ＬＥＤの点灯状態を変化させるＬＥＤ点灯制御手段とを有することを特徴とする撮像装置。
【請求項２】
前記ＬＥＤ点灯制御手段は、前記姿勢検出結果表示用ＬＥＤを前記検出結果に応じた周波数で点滅させることを特徴とする請求項１記載の撮像装置。
【請求項３】
前記ＬＥＤ点灯制御手段は、複数色の前記姿勢検出結果表示用ＬＥＤのうち前記検出結果に応じた色のものを発光させることを特徴とする請求項１又は２記載の撮像装置。
【請求項４】
前記ＬＥＤ点灯制御手段は、複数個の前記姿勢検出結果表示用ＬＥＤのうち前記検出結果に応じた数だけ発光させることを特徴とする請求項１から３のいずれか１項記載の撮像装置。
【請求項５】
前記姿勢検出結果表示用ＬＥＤは、ファインダに近接して配置されていることを特徴とする請求項１から４のいずれか１項記載の撮像装置。
【発明の詳細な説明】
【技術分野】
【０００１】
本発明は、被写体を撮像して画像データを生成する撮像装置に関する。
【背景技術】
【０００２】
撮像装置を用いて被写体を撮影する場合、構図上の観点から撮像装置を水平に保持することが多い。
【０００３】
撮像装置を水平出しすることに関する従来技術として、特許文献１に開示される「電子カメラ」がある。特許文献１に開示される発明は、液晶モニタの画面にカメラ自体の水平線を示す水平基準線と姿勢検出装置から得られた角度データに応じて水平撮影補助線とを表示し、両者の差異を見ることでカメラの傾き具合を把握できるようにしたものである。
すなわち、特許文献１に開示される発明では、カメラを水平に保持した場合には、水平基準線と水平撮影補助線とが一本の直線として表示される。
【特許文献１】特開２００２−２７１６５４号公報
【発明の開示】
【発明が解決しようとする課題】
【０００４】
しかし、特許文献１に開示される発明は、カメラを厳密に水平にすることも可能ではあるが、二本の直線が一致するのは一点でしかないため、実際には厳密に水平に合わせることは難しい。しかも、一般的な撮影では、水平出しにそれほどの精度は要求されない。
【０００５】
本発明はかかる問題に鑑みてなされたものであり、一定の精度での水平出しを容易に行える撮像装置を提供することを目的とする。
【課題を解決するための手段】
【０００６】
本発明は、上記目的を達成するために、被写体像を撮像する撮像手段と、自装置の姿勢を検出する姿勢検出手段と、姿勢検出手段による検出結果を表示するための姿勢検出結果表示用ＬＥＤと、姿勢検出手段の検出結果に応じて、姿勢検出結果表示用ＬＥＤの点灯状態を変化させるＬＥＤ点灯制御手段とを有することを特徴とする撮像装置を提供するものである。
【０００７】
本発明においては、ＬＥＤ点灯制御手段は、姿勢検出結果表示用ＬＥＤを検出結果に応じた周波数で点滅させることが好ましい。また、ＬＥＤ点灯制御手段は、複数色の姿勢検出結果表示用ＬＥＤのうち検出結果に応じた色のものを発光させることが好ましい。また、ＬＥＤ点灯制御手段は、複数個の姿勢検出結果表示用ＬＥＤのうち検出結果に応じた数だけ発光させることが好ましい。
【０００８】
上記のいずれの構成においても、姿勢検出結果表示用ＬＥＤは、ファインダに近接して配置されていることが好ましい。
特許文献１に開示される発明では、画像確認用のＬＣＤ画面に姿勢検出結果を表示するとファインダを覗いている間はその結果を見ることができないという問題があったが、姿勢検出結果表示用ＬＥＤをファインダに近接して配置することによって、ファインダを覗きながら装置の傾きを確認できる。
【発明の効果】
【０００９】
本発明によれば、一定の精度で水平出しを容易に行える撮像装置を提供を提供できる。
【発明を実施するための最良の形態】
【００１０】
本発明の好適な実施の形態について説明する。
図１に、本発明の好適な実施の形態にかかるデジタルカメラの構成を示す。
デジタルカメラ１の正面の中央には、撮影光が入射する鏡胴ユニット３が設けられ、その上方には、被写体に向けて光を発するストロボ発光部４と、オートフォーカス（ＡＦ）の際に被写体との距離を測定するための測距ユニット５と、ユーザが目視によって撮影範囲などを確認するための光学ファインダ６とが設けられている。また、光学ファインダ６の下方には、不図示のリモコンからの光信号を受光するリモコン受光部７が設けられている。
【００１１】
デジタルカメラ１の上面には、レリーズボタン９と、撮影モードを切り替えるためのモードダイヤル１０と、撮影可能枚数などを表示するサブＬＣＤ１１とが設けられている。
【００１２】
デジタルカメラ１の背面には、撮影した画像などを表示するＬＣＤ１３と、撮影時のＡＦ状態を示すＡＦ−ＬＥＤ１４と、ストロボの充電状態を示すストロボＬＥＤ１５と、電源のオン・オフを切り替えるための電源スイッチ１６と、動作指示や各種施低などを外部から行うための操作ボタンユニット１７とが設けられ、操作ボタンユニット１７は、ズームの設定を行うためのズームボタン１８を備えている。
なお、ＡＦ−ＬＥＤ１４及びストロボＬＥＤ１５は、別の表示用途（外部拡張メモリ２１（図２、３参照）がアクセス中であることを示すなど）にも用いられる。
ここで、レリーズボタン９、モードダイヤル１０、電源スイッチ１６及び操作ボタンユニット１７をまとめて操作部１９と表記する。
【００１３】
デジタルカメラ１の側面には、メモリカードなどの外部拡張メモリ２１（図２、３参照）が取り外し可能に装着される外部拡張メモリ装着部２２が設けられている。
【００１４】
デジタルカメラ１は、電池２３が着脱可能に装着される電池装填部を内部に備えている。
【００１５】
図２、３に、デジタルカメラ１の機能構成を示す。
鏡胴ユニット３は、被写体の光学画像を取り込む被駆動部材としてのズームレンズ３０及びモータとしてのズーム駆動モータ３１を備えたズーム光学系３２と、フォーカスレンズ３３及びフォーカス駆動モータ３４を備えたフォーカス光学系３５と、絞り３６及び絞りモータ３７を備えた絞りユニット３８と、メカシャッタ３９及びメカシャッタモータ４０を備えたメカシャッタユニット４１と、ズーム駆動モータ３１、フォーカス駆動モータ３４、絞りモータ３７及びメカシャッタモータ４０などの直流モータを駆動するモータドライバ４２とから概略構成されている。
【００１６】
ＣＣＤ４５は、鏡胴ユニット３から取り込んだ光学画像が光電変換する（アナログ信号変換する）固体撮像素子である。また、Ｆ／Ｅ（フロントエンド）−ＩＣ４６は、画像ノイズ除去用相関二重サンプリングを行うＣＤＳ（Correlated Double Sampling）４７と、利得調整を行うＡＧＣ（Auto Gain Controller）４８と、デジタル信号変換を行うＡ／Ｄ４９と、後述のシステムコントローラ５０の第１のＣＣＤ信号処理ブロック５１から垂直同期信号（ＶＤ信号）及び水平同期信号（ＨＤ信号）を受けて駆動タイミング信号を生成するＴＧ（Timing Generator）５２とを備えている。
【００１７】
制御手段としてのシステムコントローラ５０は、ＣＣＤ４５からＦ／Ｅ−ＩＣ４６を経由して入力されたデジタル画像データにホワイトバランス設定やガンマ設定を行うとともに、ＶＤ信号及びＨＤ信号を出力する第１のＣＣＤ信号処理ブロック５１と、フィルタリング処理によって輝度データ・色差データへの変換を行う第２のＣＣＤ信号処理ブロック５３と、リモコン受光部７や操作部１９から入力される信号に基づいて、ＲＯＭ６５に格納された制御プログラムに従ってデジタルカメラ１の各部（モータドライバ４２やＣＣＤ４５など）の動作を制御するＣＰＵブロック５４と、ＣＰＵブロック５４による制御に必要なデータなどを一時的に保存するローカルＳＲＡＭ５５と、コンピュータなどの外部機器とＵＳＢ通信するためのＵＳＢ通信ブロック５６と、コンピュータなどの外部機器とシリアル通信を行うシリアル通信ブロック５７と、ＪＰＥＧ圧縮・伸長を行うＪＰＥＧ−ＣＯＤＥＣブロック５８と、画像データのサイズを補間処理によって拡大／縮小するリサイズブロック５９と、画像データをＬＣＤ１３や外部表示機器（テレビなど）に表示するためのビデオ信号に変換するＴＶ信号表示ブロック６０と、撮影された画像データを記録する外部拡張メモリ（メモリカードなど）を制御する外部拡張メモリブロック６１とを備えている。
【００１８】
ＲＯＭ６５には、ＣＰＵブロック５４において解読可能なコードで記述された制御プログラムやＣＰＵブロック５４の制御に必要なデータなどが格納されている。
【００１９】
デジタルカメラ１の電源が電源スイッチ１６の操作によってオン状態になると、ＲＯＭ６５に格納された制御プログラムは不図示のメインメモリにロードされ、ＣＰＵブロック５４はロードされた制御プログラムに従ってデジタルカメラ１の各部の動作を制御するとともに、制御に必要なデータを一時的にＲＡＭ６６及びローカルＳＲＡＭ５５に保存する。なお、ＲＯＭ６５として書き換え可能なフラッシュＲＯＭを用いれば、制御プログラムや制御に必要なパラメータ等を変更可能となり、機能のバージョンアップを容易に行える。
【００２０】
ＳＤＲＡＭ６７は、システムコントローラ５０において各種処理が施される際の画像データを一時的に保存する。保存される画像データは、例えば、ＣＣＤ４５からＦ／Ｅ−ＩＣ４６を経由して取り込まれ第１のＣＣＤ信号処理ブロック５１でホワイトバランス設定及びガンマ設定が行われた状態の「ＲＡＷ−ＲＧＢ画像データ」や、第２のＣＣＤ信号処理部５３で輝度データ・色差データへの変換が行われた状態の「ＹＵＶ画像データ」、ＪＰＥＧ−ＣＯＤＥＣブロック５８でＪＰＥＧ圧縮などが行われた状態の「ＪＰＥＧ画像データ」である。
【００２１】
内蔵メモリ６８は、外部拡張メモリ装着部２２に外部拡張メモリ２１（メモリカードなど）が装着されていない場合でも、撮像した画像データを記録できる。
【００２２】
ＬＣＤドライバ６９は、ＬＣＤ１３を駆動するとともに、ＴＶ信号表示ブロック６０から出力されたビデオ信号をＬＣＤ１３に表示するための信号に変換する。これにより、ＬＣＤ１３では、ユーザが撮影前に被写体の状態を監視したり、撮像した画像を確認したり、外部拡張メモリ２１や内蔵メモリ６８に記録された画像データを参照したりできる。
【００２３】
ビデオＡＭＰ７０は、ＴＶ信号表示ブロック６０から出力されたビデオ信号を７５オームのインピーダンスに変換するアンプである。ビデオジャック７１は、ＴＶなどの外部表示装置と接続するためのジャックである。ＵＳＢコネクタ７２は、外部機器（コンピュータなど）とＵＳＢ接続するためのコネクタである。シリアルドライバ回路７３は、外部機器とシリアル通信を行うためにシリアルブロック５７の出力信号を電圧変換する回路である。ＲＳ−２３２Ｃコネクタ７４は、外部機器とシリアル接続するためのコネクタである。
【００２４】
サブＣＰＵ７５は、ＲＯＭやＲＡＭ等をワンチップに内蔵したＣＰＵであり、リモコン受光部７や操作部１９からの出力信号をユーザの操作情報としてＣＰＵブロック５４に出力する。また、ＣＰＵブロック５４から出力されたデジタルカメラ１の状態をサブＬＣＤ１１、ＡＦ−ＬＥＤ１４、ストロボＬＥＤ１５、ブザー７６などに対する制御信号に変換して出力する。ＬＣＤドライバ７７は、サブＣＰＵ７５からの出力信号に基づいてサブＬＣＤ１１を駆動するドライブ回路である。
【００２５】
音声記録ユニットは、ユーザが音声信号を入力するマイク７９と、入力された音声信号を増幅するマイクＡＭＰ８０と、増幅された音声信号を記録する音声記録回路８１とを備えている。また、音声再生ユニットは、記録された音声信号をスピーカ８３から出力するための信号に変換する音声再生回路８４と、変換された音声信号を増幅し、スピーカ８３を駆動するためのオーディオＡＭＰと、増幅された音声信号を出力するスピーカ８３とを備えている。
【００２６】
デジタルカメラ１の動作について説明する。
姿勢検出部による姿勢検出の結果をシステムコントローラ内の汎用ＧＩＯから入力し、ＣＰＵブロック５４にてカメラの傾き角度を計算する。姿勢検出部には、ジャイロセンサ、重力センサ（Ｇセンサ）などを用いる。姿勢検出部には検出する方向で、一軸、二軸、三軸のものがあり、二軸の場合、カメラの光学系に対して垂直方向の姿勢変化を検出でき、三軸の場合、二軸の検出範囲に加えカメラの光学系に対して仰角方向の姿勢変化を検出できる。計算されたカメラの傾き角度に応じて、姿勢検出用ＬＥＤの点灯制御を行う。
【００２７】
〔第１の制御例〕
姿勢検出部で検出した検出信号は、システムコントローラ５０の汎用ＧＩＯに送られる。ＣＰＵブロック５４は、姿勢検出部からの検出信号に基づいてデジタルカメラ１の傾き角度ｄを計算する。ＲＯＭ６５内には予めデジタルカメラ１の傾き角度ｄの絶対値に対して複数の基準値（Ｓ１、Ｓ２、Ｓ３）とそれに対応したパターンＡ、Ｂの２種類の点滅周波数（それぞれｆ１、ｆ２、（ただしｆ１＜ｆ２））が記録されている。｜ｄ｜が０のときは、デジタルカメラ１が水平であることを示し、｜ｄ｜が大きくなるにつれて傾きが大きくなる。なお、０≦｜ｄ｜＜Ｓ１のときはデジタルカメラ１が水平であると見なせる状態（水平状態）とする。また、基準値の設定範囲でパターンＡ、Ｂの点滅周波数を割り当てる（図４では、パターンＡの範囲がＳ１＜｜ｄ｜＜Ｓ２、パターンＢの範囲がＳ２＜｜ｄ｜＜Ｓ３）。さらに、０＜｜ｄ｜＜Ｓ１の範囲では姿勢検出ＬＥＤ９０を点灯、Ｓ３＜｜ｄ｜では姿勢検出ＬＥＤ９０を消灯する。例えば、ユーザがデジタルカメラ１を構えた時に姿勢検出ＬＥＤ９０が消灯していれば、カメラが大きく傾いていることを示す。
【００２８】
ユーザがデジタルカメラ１の水平出しを行いたい場合、姿勢検出ＬＥＤ９０が点滅する方向にデジタルカメラ１を傾けていく。デジタルカメラ１の傾きに応じて、Ｓ２＜｜ｄ｜＜Ｓ３の範囲では姿勢検出ＬＥＤ９０はパターンＢで点灯を開始し、水平位置に近づいてくると、Ｓ１＜｜ｄ｜＜Ｓ２の範囲でパターンＡの早い周期での点滅に変更する。そして、水平状態である０≦｜ｄ｜＜Ｓ１では、姿勢検出ＬＥＤ９０を点滅ではなく点灯させ、デジタルカメラ１が水平状態にあることをユーザに通知する。
逆に、水平状態からデジタルカメラ１の傾きが外れる場合には、水平に合わせる時と逆のＬＥＤ表示を行い、水平状態から外れている度合いをユーザに通知する。
【００２９】
〔第２の制御例〕
本制御例では赤、青、黄の三色の姿勢検出ＬＥＤ９０を用いる場合を例に説明するが、色数はこれに限定されない。
姿勢検出部で検出した検出信号は、システムコントローラ５０の汎用ＧＩＯに送られる。ＣＰＵブロック５４は、姿勢検出部からの検出信号に基づいてデジタルカメラ１の傾き角度ｄを計算する。ＲＯＭ６５内には、予めデジタルカメラ１の傾き角度ｄの絶対値に対して複数の基準値（Ｓ１、Ｓ２）とそれに対応して点灯させる姿勢検出ＬＥＤ９０の色情報（例えば、赤、黄、青）が記録されている。
｜ｄ｜が０のときは、デジタルカメラ１が水平であることを示し、｜ｄ｜が大きくなるにつれてデジタルカメラ１の傾きは大きくなる。なお、０≦｜ｄ｜＜Ｓ１のときはデジタルカメラ１が水平であると見なせる状態（水平状態）とする。
【００３０】
図５において、０＜｜ｄ｜＜Ｓ１の領域では青色の姿勢検出ＬＥＤ９０を、Ｓ１＜｜ｄ｜＜Ｓ２では黄色の姿勢検出ＬＥＤ９０を、Ｓ２＜｜ｄ｜では赤色の姿勢検出ＬＥＤ９０を点灯させる。例えば、ユーザがデジタルカメラ１を構えた時に赤色の姿勢検出ＬＥＤ９０が消灯していれば、デジタルカメラ１が大きく傾いていることを示す。
【００３１】
ユーザがデジタルカメラ１の水平出しを行いたい場合、黄色の姿勢検出ＬＥＤ９０が点灯する方向にデジタルカメラ１を傾けていく。デジタルカメラ１の傾きに応じてＳ１＜｜ｄ｜＜Ｓ２の範囲で黄色の姿勢検出ＬＥＤ９０を点灯させ、デジタルカメラ１の傾きが水平に近づいたことをユーザに認識させる。水平状態の０≦｜ｄ｜＜Ｓ１では、青色の姿勢検出ＬＥＤ９０を点灯させ、デジタルカメラ１が水平に保持されたことをユーザに通知する。
逆に、水平状態からデジタルカメラ１の傾きが外れる場合には、水平に合わせる時と逆のＬＥＤ表示を行い、水平状態から外れている度合いをユーザに通知する。
また、姿勢検出ＬＥＤ９０の点灯は順次点灯させても良いが、色が変わるときに前の色のＬＥＤを消灯させてから次の色のＬＥＤを点灯させる制御を行うことで、エネルギーを節約できる。
【００３２】
〔第３の制御例〕
ここでは２個の姿勢検出ＬＥＤ９０を用いる場合を例とするが、ＬＥＤの数はこれに限定されることはない。
姿勢検出部で検出した検出信号は、システムコントローラ５０の汎用ＧＩＯへ送られる。ＣＰＵブロック５４は、姿勢検出部からの検出信号に基づいてデジタルカメラ１の傾き角度ｄを計算する。ＲＯＭ６５内には、予めデジタルカメラ１の傾き角度ｄの絶対値に対して複数の基準値（Ｓ１、Ｓ２）と、それらに対応したＬＥＤの点灯パターンが記録されている。
｜ｄ｜が０のときは、デジタルカメラ１が水平であり、｜ｄ｜が大きくなるにつれて傾きが大きくなる。なお、０≦｜ｄ｜＜Ｓ１のときはデジタルカメラ１が水平であると見なせる状態（水平状態）とする。
【００３３】
基準値の設定範囲でパターン１、２、３のＬＥＤ点灯パターンを割り当てる。図６では、パターン１は０＜｜ｄ｜＜Ｓ１の範囲でＬＥＤを２個点灯、パターン２はＳ１＜｜ｄ｜＜Ｓ２の範囲でＬＥＤを１個点灯、パターン３はＳ２＜｜ｄ｜の範囲でＬＥＤ２個消灯とする。
例えば、ユーザがデジタルカメラ１を構えた時にＬＥＤが２個とも消灯していれば、デジタルカメラ１が大きく傾いていることを示す。
【００３４】
ユーザがデジタルカメラ１の水平出しを行いたい場合、姿勢検出ＬＥＤ９０が点灯する方向にデジタルカメラ１傾けていく。デジタルカメラ１の傾きに応じてＳ１＜｜ｄ｜＜Ｓ２の範囲では姿勢検出ＬＥＤ９０が１個点灯し、デジタルカメラ１の傾きが水平に近づいたことをユーザに認識させる。水平状態の０≦｜ｄ｜＜Ｓ１では、姿勢検出ＬＥＤ９０が２個点灯し、デジタルカメラ１が水平状態にあることをユーザに通知する。
逆に、水平状態からデジタルカメラ１の傾きが外れる場合には、水平に合わせる時と逆のＬＥＤ表示を行い、水平状態から外れている度合いをユーザに通知する。
【００３５】
最近のデジタルカメラには、ストロボの充電状況を示すストロボ用ＬＥＤとＡＦ状態を示すＡＦ用ＬＥＤとの２種類のＬＥＤが設けられている場合が多いため、本例のようにこれらの二つのＬＥＤを姿勢検出ＬＥＤとして利用してデジタルカメラ１の傾きを表示することも可能である。
【００３６】
〔第４の制御例〕
上記の制御例では、デジタルカメラ１の光学系に対して垂直方向（以下、単に垂直方向という）の姿勢変化のみに言及していたが、本制御例は光学系に対して仰角方向（以下、単に仰角方向という）の姿勢検出についても考慮する。ここでは、黄色及び青色の２色の姿勢検出ＬＥＤ９０を用いる場合を例とするが、表示方法はこれに限定されない。
【００３７】
垂直方向に関して、ＲＯＭ６５内には予め垂直方向の傾き角度ｄの絶対値に対して複数の基準値（Ｓ１、Ｓ２）とそれに対応して点灯させる姿勢検出ＬＥＤ９０の色情報が記録されている。｜ｄ｜が０であればデジタルカメラ１が垂直方向で水平であり、｜ｄ｜が大きくなるにつれて傾きが大きくなる。なお、０≦｜ｄ｜＜Ｓ１のときはデジタルカメラ１が垂直方向に水平であると見なせる状態（水平状態）とする。
図７で、０＜｜ｄ｜＜Ｓ１の領域では青色の姿勢検出ＬＥＤ９０を発光させ、Ｓ１＜｜ｄ｜＜Ｓ２では黄色の姿勢検出ＬＥＤ９０を発光させ、Ｓ２＜｜ｄ｜ではいずれの姿勢検出ＬＥＤ９０も消灯させる。
【００３８】
仰角方向に関して、ＲＯＭ６５内には予め仰角方向の傾き角度θの絶対値に対して複数の基準値（Ｒ１、Ｒ２）と所定の点滅周波数ｆとが記録されている。｜θ｜が０であればデジタルカメラ１の仰角方向に水平であり、｜θ｜が大きくなると仰角方向の傾きが大きくなる。なお、０≦｜θ｜＜Ｒ１のときはデジタルカメラ１が仰角方向に水平であると見なせる状態（水平状態）とする。基準値の設定範囲で０≦｜θ｜＜Ｒ１では姿勢検出ＬＥＤ９０を点灯させ、Ｒ１＜｜θ｜＜Ｒ２では姿勢検出ＬＥＤ９０を点滅させ、Ｒ２＜｜θ｜では姿勢検出ＬＥＤ９０を消灯させる。
【００３９】
例えば、ユーザがデジタルカメラ１を構えたときに姿勢検出ＬＥＤ９０が消灯していれば、デジタルカメラ１は垂直方向及び仰角方向の少なくとも一方に大きく傾いていることになる。
【００４０】
ユーザが垂直方向及び仰角方向でデジタルカメラ１の水平出しを行いたい場合、どちらかの姿勢検出ＬＥＤ９０が点滅する方向にデジタルカメラ１傾けていく。垂直方向に関してデジタルカメラ１を水平に近づけていき、垂直方向のデジタルカメラ１の傾き角度ｄがＳ１＜｜ｄ｜＜Ｓ２の範囲になると、いずれも消灯していた黄色及び青色の姿勢検出ＬＥＤ９０のうち黄色のみが発光（点灯するか点滅するかは仰角方向の傾きによる）する。さらにデジタルカメラ１を水平状態に近づけ、垂直方向の傾き角度ｄが０≦｜ｄ｜＜Ｓ１になると、黄色の姿勢検出ＬＥＤ９０が消灯するとともに青色の姿勢検出ＬＥＤ９０が発光し、デジタルカメラ１が垂直方向に関して水平状態になったことをユーザに通知する。
また、仰角方向に関しては、デジタルカメラ１を水平状態に近づけていき、仰角方向の傾き角θがＲ１＜｜θ｜＜Ｒ２となると、黄色又は青色の姿勢検出ＬＥＤ９０（どちらの色かは垂直方向の傾きによる）が消灯の状態から点滅状態に変化する。さらにデジタルカメラ１を水平状態に近づけ、０≦｜θ｜＜Ｒ１になると、姿勢検出ＬＥＤ９０は点滅状態から点灯状態へ移行する。
図８に示すように、デジタルカメラ１の傾きに応じて、垂直方向では姿勢検出ＬＥＤ９０の色を、仰角方向では姿勢検出ＬＥＤ９０の点灯・点滅を変化させることにより、これらを組み合わせて垂直方向及び仰角方向の水平出しを行える。
水平状態からカメラの傾きが外れる場合には、水平に合わせる時と逆のＬＥＤ表示を行い、垂直方向及び仰角方向に関して水平状態から外れている度合いをユーザに通知する。
【００４１】
なお、上記実施形態は本発明の好適な実施の一例であり、本発明はこれに限定されることはない。
例えば、上記実施形態では、デジタルカメラの垂直方向の傾きの大きさのみを考慮し、どちら側に傾いているかについては表示していないが、傾きの方向をＬＥＤの色、点滅パターンの違いなどで区別して表示するようにしてもよい。
このように、本発明は様々な変形が可能である。
【図面の簡単な説明】
【００４２】
【図１】本発明の好適な実施の形態にかかる撮像装置の外観を示す図である。
【図２】好適な実施の形態にかかる撮像装置の機能構成を示す図である。
【図３】好適な実施の形態にかかる撮像装置の機能構成を示す図である。
【図４】デジタルカメラの傾きを表示するためのＬＥＤの点灯制御の一例を示す図である。
【図５】デジタルカメラの傾きを表示するためのＬＥＤの点灯制御の一例を示す図である。
【図６】デジタルカメラの傾きを表示するためのＬＥＤの点灯制御の一例を示す図である。
【図７】デジタルカメラの垂直方向及び仰角方向の傾きを表示するためのＬＥＤの点灯制御の一例を示す図である。
【図８】デジタルカメラの垂直方向及び仰角方向の傾きの度合いによるＬＥＤの発光状態の一例を示す図である。
【符号の説明】
【００４３】
１    デジタルカメラ
３    鏡胴ユニット
４    ストロボ発光部
５    測距ユニット
６    光学ファインダ
７    リモコン受光部
９    レリーズボタン
１０    モードダイヤル
１１    サブＬＣＤ
１３    ＬＣＤ
１４    ＡＦ−ＬＥＤ
１５    ストロボＬＥＤ
１６    電源スイッチ
１７    操作ボタンユニット
１８    ズームボタン
１９    操作部
２１    外部拡張メモリ
２２    外部拡張メモリ装着部
２３    電池
３０    ズームレンズ
３１    ズーム駆動モータ
３２    ズーム光学系
３３    フォーカスレンズ
３４    フォーカス駆動モータ
３５    フォーカス光学系
３６    絞り
３７    絞りモータ
３８    絞りユニット
３９    メカシャッタ
４０    メカシャッタモータ
４１    メカシャッタユニット
４２    モータドライバ
４５    ＣＣＤ
４６    Ｆ／Ｅ−ＩＣ
４７    ＣＤＳ
４８    ＡＧＣ
４９    Ａ／Ｄ
５０    システムコントローラ
５１    第１のＣＣＤ信号処理ブロック
５２    ＴＧ
５３    第２のＣＣＤ信号処理ブロック
５４    ＣＰＵブロック
５５    ローカルＳＲＡＭ
５６    ＵＳＢブロック
５７    シリアルブロック
５８    ＪＰＥＧ−ＣＯＤＥＣブロック
５９    リサイズブロック
６０    ＴＶ信号表示ブロック
６１    外部拡張メモリブロック
６５    ＲＯＭ
６６    ＲＡＭ
６７    ＳＤＲＡＭ
６８    内蔵メモリ
６９    ＬＣＤドライバ
７０    ビデオＡＭＰ
７１    ビデオジャック
７２    ＵＳＢコネクタ
７３    シリアルドライバ回路
７４    ＲＳ−２３２Ｃコネクタ
７５    サブＣＰＵ
７６    ブザー
７７    サブＬＣＤドライバ
７９    マイク
８０    マイクＡＭＰ
８１    音声記録回路
８３    スピーカ
８４    音声再生回路
９０    姿勢検出ＬＥＤ
９１    ストロボ回路
【図１】
2007212527.tif 000003
【図２】
2007212527.tif 000004
【図３】
2007212527.tif 000005
【図４】
2007212527.tif 000006
【図５】
2007212527.tif 000007
【図６】
2007212527.tif 000008
【図７】
2007212527.tif 000009
【図８】
2007212527.tif 000010